(57)【要約】      （修正有）【課題】特定の箇所で有効に機能し、ワイヤーハーネスの引き回しや取り付け作業を容易にすることができる電線の保護チューブを提供する。【解決手段】コルゲートチューブ１は、一対の鉛直状の側面部２ａ、２ｂと、一対の円弧状の上面部３ａ、下面部３ｂを有し、径の異なる２種類の断面が略小判形の小リング部４と大リング部５を交互に複数並べて蛇腹状に形成されており、断面が小判形のため、平面ＨＦに安定して取り付けることができると共に、ワイヤーハーネスＷＨを安定的に並列収容でき、更に、外周面が凹状の小リング部の箇所から湾曲することができるので、狭い領域であっても屈曲が可能であると共に、ワイヤーハーネスの曲げ方向に規制を持たせることもできる。【選択図】図１
2014147273.tif 000002
【特許請求の範囲】
【請求項１】
内部が中空で長手方向の両端が開放された管状に形成され、その中空内部に電線を収容する可撓性を有した電線の保護チューブであって、所定方向に曲げることが可能な曲げ方向規制手段を備えていることを特徴とする電線の保護チューブ。
【請求項２】
前記保護チューブは、径の異なる２種類の小リング部及び大リング部を交互に複数並べて、その外周面が長手方向に凸凹状に形成されて管状を成し、
前記曲げ方向規制手段は、前記小リング部の断面が小判形に形成される小判形小リング部としたことを特徴とする請求項１に記載の電線の保護チューブ。
【請求項３】
前記大リング部は、その断面が前記小リング部と同形状の小判形に形成されていることを特徴とする請求項２に記載の電線の保護チューブ。
【請求項４】
前記曲げ方向規制手段は、前記小判形小リング部に変えて、前記小リング部の断面が四角形又は四角形以上の多角形に形成される角形小リング部としたことを特徴とする請求項２に記載の電線の保護チューブ。
【請求項５】
前記大リング部は、その断面が前記小リング部と同形状の四角形又は四角形以上の多角形に形成されていることを特徴とする請求項４に記載の電線の保護チューブ。
【請求項６】
前記曲げ方向規制手段は、前記小判形小リング部に変えて、前記小リング部の断面が円形に形成される円形小リング部であって、該円形小リング部は、その外周面に長手方向に延びて、隣接する前記大リング部同士を連結する棒状のリブが所定間隔で複数付設されていることを特徴とする請求項２に記載の電線の保護チューブ。
【請求項７】
前記円形小リング部は、その外周面に、前記リブを上下に一対設けた第１円形小リング部と、前記リブを左右に一対設けた第２円形小リング部とから成り、該第１及び第２円形小リング部は、前記大リング部を挟んで交互に配置されていることを特徴とする請求項６に記載の電線の保護チューブ。
【請求項８】
前記円形小リング部は、請求項７に記載の第１及び第２円形小リング部に加え、その外周面に、前記リブを上右下左に一対設けた第３円形小リング部と、前記リブを上左下右に一対設けた第４円形小リング部とを更に備えて成り、該第１、第２、第３及び第４円形小リング部は、各円形小リング部間に前記大リング部を挟んで所定順に整列して配置されていることを特徴とする請求項６に記載の電線の保護チューブ。
【請求項９】
内部が中空で長手方向の両端が開放された管状に形成され、その中空内部に電線を収容する可撓性を有した電線の保護チューブであって、所定角度に曲げることが可能な曲げ角度規制手段を備えていることを特徴とする電線の保護チューブ。
【請求項１０】
前記保護チューブは、径の異なる２種類の一連状の小リング部及び大リング部を交互に螺旋状に巻回させて、その外周面が長手方向に凸凹状に形成されて管状を成し、
前記曲げ角度規制手段は、前記小リング部が長手方向の軸に対して斜めに交差して設けられる斜め交差小リング部としたことを特徴とする請求項９に記載の電線の保護チューブ。
【請求項１１】
前記保護チューブは、径の異なる２種類の小リング部及び大リング部を交互に複数並べて、その外周面が長手方向に凸凹状に形成されて管状を成し、
前記曲げ角度規制手段は、前記小リング部が長手方向の軸に対して斜めに交差して設けられる斜め交差小リング部としたことを特徴とする請求項９に記載の電線の保護チューブ。
【請求項１２】
内部が中空で長手方向の両端が開放された管状に形成され、その中空内部に電線を収容する可撓性を有した電線の保護チューブであって、その外周面に該保護チューブ同士を連結する連結手段を備えていることを特徴とする電線の保護チューブ。
【請求項１３】
前記保護チューブは、径の異なる２種類の断面正六角形の小リング部及び大リング部を交互に複数並べて、その外周面が長手方向に凸凹状に形成されて管状を成し、
前記連結手段は、前記大リング部の縁に額縁状に周設された長手方向両側に張り出す可撓性を有した鍔部であって、該鍔部の幅は、隣り合う該鍔部同士の間隔よりも大きく形成されていることを特徴とする請求項１２に記載の電線の保護チューブ。
【請求項１４】
請求項１乃至請求項１３に記載の電線の保護チューブの何れか２以上を備え、それら保護チューブの間を曲げ難く形成された連結チューブで連結したことを特徴とする電線の保護チューブ。
【請求項１５】
前記保護チューブは、内側乃至外側にかけて異なる材質にて複層構造に形成されていることを特徴とする請求項１乃至請求項１４の何れか１項に記載の電線の保護チューブ。
【発明の詳細な説明】
【技術分野】
【０００１】
本発明は、電線を保護するための可撓性を有した電線の保護チューブに関する。
【背景技術】
【０００２】
従来より、数本の電線をまとめて両端にコネクタ等を接続した所謂ワイヤーハーネスを保護する保護チューブとして、コルゲートチューブが広く用いられている。このコルゲートチューブは、内部が中空で長手方向の両端が開放され、その内部をワイヤーハーネスが貫通するように設けられている。これにより、コルゲートチューブ（保護チューブ）は、外部からの静電ノイズや熱に対する絶縁性を高めたり、外部からの衝撃等により損傷してしまうことを防止する等してワイヤーハーネスを保護するようになっている。
【０００３】
ところで、このような保護チューブは、その形状が特許文献１に開示されるように断面円形の管状に形成されている。このような断面円形状に形成された従来の保護チューブは、例えばポリプロピレン等の可撓性を有した合成樹脂にて、径の異なる２種類のリング部を交互に並べて蛇腹状に形成されており、その外周面は長手方向に凸凹状に形成されている。このように構成される従来の保護チューブは、断面が円形であるため、凹状のリング部から何れの方向や角度にも自在に曲げることができるのが利点となっている。
【先行技術文献】
【特許文献】
【０００４】
【特許文献１】実開平３−３９３２０号公報
【発明の概要】
【発明が解決しようとする課題】
【０００５】
しかしながら、ワイヤーハーネスは、様々な電子的な装置や機械で使用されるので、例えば、逆に、ワイヤーハーネスの曲げ方向や曲げ角度に規制を持たせたいときや、限られた領域内でワイヤーハーネスを設置したいとき等には、従来の断面円形の保護チューブでは対応できない場合があり、その結果、このような場合では、ワイヤーハーネスの引き回しや取り付け作業は、困難で煩わしい作業となっていた。
【０００６】
本発明は、上記したような問題点に鑑みなされたもので、その目的とするところは、特定の場面で有効に機能し、以ってワイヤーハーネスの引き回しや取り付け作業を容易にすることができる電線の保護チューブを提供することにある。
【課題を解決するための手段】
【０００７】
このような問題を解決するために、本発明の電線の保護チューブは、請求項１に記載したように、内部が中空で長手方向の両端が開放された管状に形成され、その中空内部に電線を収容する可撓性を有した電線の保護チューブ（コルゲートチューブ１、１０、４０、５０）であって、所定方向に曲げることが可能な曲げ方向規制手段（小リング部４、１４、４４、５４）を備えていることを要旨とする。
【０００８】
従って、このように構成される本発明の電線の保護チューブは、曲げ方向規制手段により、場面に応じて内部に収容するワイヤーハーネス等の電線の曲げ方向に規制を持たせることができ、その結果、該電線の引き回しや取り付け作業を容易にすることができるという顕著な効果を奏する。
【０００９】
ここで、曲げ方向規制手段の具体的な構成としては、次のようにするとよい。即ち請求項２に記載した電線の保護チューブ（コルゲートチューブ１）は、請求項１に記載の電線の保護チューブにおいて、前記保護チューブは、径の異なる２種類の小リング部（小リング部４）及び大リング部（大リング部５）を交互に複数並べて、その外周面が長手方向に凸凹状に形成されて管状を成し、前記曲げ方向規制手段は、前記小リング部の断面が小判形に形成される小判形小リング部（小リング部４）としたことを要旨とする。
【００１０】
従って、このように構成される本発明の電線の保護チューブは、小リング部の断面が小判形であるため、外周面が凹状の小リング部の両側直線箇所から、２方向に１８０度間隔で曲げることができるようになる。
【００１１】
そして、請求項２に記載の電線の保護チューブ（コルゲートチューブ１）は、請求項３に記載したように、前記大リング部（大リング部５）は、その断面が前記小リング部（小リング部４）と同形状の小判形に形成するとよい。
【００１２】
従って、このように構成される本発明の電線の保護チューブは、小リング部及び大リング部の断面が共に小判形であるため、平面に対して保護チューブの直線状の側面を当接させることにより、安定して取り付けることができる。更に、ワイヤーハーネス等の電線を、その形状にフィットさせ、並列して安定的に収容することが可能になると共に、電線を並列設置する場合には、保護チューブの断面積を極力小さくすることができる。その結果、設置場所が限られた狭い領域であっても対処することが可能になる。
【００１３】
或いは、曲げ方向規制手段の具体的な構成としては、次のようにしてもよい。即ち請求項４に記載した電線の保護チューブ（コルゲートチューブ１０）は、請求項２に記載の電線の保護チューブにおいて、前記曲げ方向規制手段は、前記小判形小リング部に変えて、前記小リング部の断面が四角形又は四角形以上の多角形に形成される角形小リング部（小リング部１４）としたことを要旨とする。
【００１４】
従って、このように構成される本発明の電線の保護チューブは、小リング部の断面が四角形又は四角形以上の多角形であるため、外周面が凹状の小リング部の周辺直線箇所から、４方向に９０度間隔又はＮ方向（多角形がＮ角形の場合）に３６０／Ｎ度間隔で曲げることができるようになる。
【００１５】
そして、請求項４に記載の電線の保護チューブ（コルゲートチューブ１０）は、請求項５に記載したように、前記大リング部（大リング部１５）は、その断面が前記小リング部（小リング部１４）と同形状の四角形又は四角形以上の多角形に形成するとよい。
【００１６】
従って、このように構成される本発明の電線の保護チューブは、小リング部及び大リング部の断面が共に四角形又は四角形以上の多角形であるため、平面に対して何れの面を当接させても、安定して取り付けることができる。更に、ワイヤーハーネス等の電線を、その形状にフィットさせ、段状並列して安定的に収容することが可能になると共に、電線を段状並列設置する場合には、保護チューブの断面積を極力小さくすることができる。その結果、設置場所が限られた狭い領域であっても対処することが可能になる。
【００１７】
更には、曲げ方向規制手段の具体的な構成としては、次のようにしてもよい。即ち請求項６に記載した電線の保護チューブ（コルゲートチューブ４０、５０）は、請求項２に記載の電線の保護チューブにおいて、前記曲げ方向規制手段は、前記小判形小リング部に変えて、前記小リング部の断面が円形に形成される円形小リング部（小リング部４４、５４）であって、該円形小リング部は、その外周面に長手方向に延びて、隣接する前記大リング部（大リング部４５、５５）同士を連結する棒状のリブ（上リブ４６ａ、５６ａ、下リブ４６ｂ、５６ｂ、左リブ４７ａ、５７ａ、右リブ４７ｂ、５７ｂ、上右リブ５８ａ、下左リブ５８ｂ、上左リブ５９ａ、下右リブ５９ｂ）が所定間隔で複数付設されていることを要旨とする。
【００１８】
従って、このように構成される本発明の電線の保護チューブは、小リング部は、断面が円形であるものの、その外周面に長手方向に延びて隣接する大リング部同士を連結する棒状のリブが所定間隔で複数付設されているので、このリブが、小リング部箇所から方向を問わず自在に曲がることを阻害する。つまり、本発明の電線の保護チューブは、このリブの無い小リング部箇所から所定方向に曲げることが可能になっており、これにより、電線の曲げ方向に規制を持たせるようになっている。しかも、この曲げ方向は、円形小リング部の外周面におけるリブの取付位置によって決定されるので、従って、このリブの取付位置を適宜設けることにより、ワイヤーハーネス等の電線を所望の方向に曲げることが可能となる。
【００１９】
ここで、小リング部及びリブの数や配置は、次のようにするとよい。即ち請求項７に記載した電線の保護チューブ（コルゲートチューブ４０）は、請求項６に記載の電線の保護チューブにおいて、前記円形小リング部（小リング部４４）は、その外周面に、前記リブ（上リブ４６ａ、下リブ４６ｂ）を上下に一対設けた第１円形小リング部（小リング部４４ａ）と、前記リブ（左リブ４７ａ、右リブ４７ｂ）を左右に一対設けた第２円形小リング部（小リング部４４ｂ）とから成り、該第１及び第２円形小リング部は、前記大リング部（大リング部４５）を挟んで交互に配置されていることを要旨とする。
【００２０】
従って、このように構成される本発明の電線の保護チューブは、第１円形小リング部箇所からは、上下のリブが上下方向への曲げを阻害し、第２円形小リング部箇所からは、左右のリブが左右方向への曲げを阻害する。これにより、第１円形小リング部箇所からは、左右方向の２方向に１８０度間隔で曲げることができ、第２円形小リング部箇所からは、上下方向の２方向に１８０度間隔で曲げることができ、従って、全体として９０度間隔で曲げることができるようになる。
【００２１】
或いは、小リング部及びリブの数や配置は、次のようにしてもよい。即ち請求項８に記載した電線の保護チューブ（コルゲートチューブ５０）は、請求項６に記載の電線の保護チューブにおいて、前記円形小リング部（小リング部５４）は、請求項７に記載の第１及び第２円形小リング部（小リング部５４ａ、５４ｂ）に加え、その外周面に、前記リブ（上右リブ５８ａ、下左リブ５８ｂ）を上右下左に一対設けた第３円形小リング部（小リング部５４ｃ）と、前記リブ（上左リブ５９ａ、下右リブ５９ｂ）を上左下右に一対設けた第４円形小リング部（小リング部５４ｄ）とを更に備えて成り、該第１、第２、第３及び第４円形小リング部は、各円形小リング部間に前記大リング部（大リング部５５）を挟んで所定順に整列して配置されていることを要旨とする。
【００２２】
従って、このように構成される本発明の電線の保護チューブは、更に、第３円形小リング部箇所からは、上右及び下左のリブが上右及び下左方向への曲げを阻害し、第４円形小リング部箇所からは、上左及び下右のリブが上左及び下右方向への曲げを阻害する。これにより、更に、第３円形小リング部箇所からは、上左及び下右方向の２方向に１８０度間隔で曲げることができ、第４円形小リング部箇所からは、上右及び下左方向の２方向に１８０度間隔で曲げることができ、従って、全体として４５度間隔で曲げることができるようになる。
【００２３】
また、請求項９に記載した電線の保護チューブ（コルゲートチューブ２０、３０）は、内部が中空で長手方向の両端が開放された管状に形成され、その中空内部に電線を収容する可撓性を有した電線の保護チューブであって、所定角度に曲げることが可能な曲げ角度規制手段（小リング部２４、窪み部３７）を備えていることを要旨とする。
【００２４】
従って、このように構成される本発明の電線の保護チューブは、曲げ角度規制手段により、場面に応じて内部に収容するワイヤーハーネス等の電線の曲げ角度に規制を持たせることができ、その結果、該電線の引き回しや取り付け作業を容易にすることができるという顕著な効果を奏する。
【００２５】
ここで、曲げ角度規制手段の具体的な構成としては、次のようにするとよい。即ち請求項１０に記載した電線の保護チューブ（コルゲートチューブ２０）は、請求項９に記載の電線の保護チューブにおいて、前記保護チューブは、径の異なる２種類の一連状の小リング部（小リング部２４）及び大リング部（大リング部２５）を交互に螺旋状に巻回させて、その外周面が長手方向に凸凹状に形成されて管状を成し、前記曲げ角度規制手段は、前記小リング部が長手方向の軸に対して斜めに交差して設けられる斜め交差小リング部（小リング部２４）としたことを要旨とする。
【００２６】
従って、このように構成される本発明の電線の保護チューブは、小リング部は長手方向の軸に対して斜めに交差しているので、小リング部の交差角度に沿って長手方向の軸に対して斜め方向に曲げることができるようになる。また、この曲げ角度は、長手方向の軸に対する小リング部の交差角度と同じであり、従って、この小リング部の交差角度を適宜設けることにより、ワイヤーハーネス等の電線を所望の角度に曲げることが可能となる。加えて、小リング部及び大リング部が螺旋状に設けられているので、ほぼ同じ大きさの丸孔等にねじ込むようにして装着することも可能になる。
【００２７】
或いは、曲げ角度規制手段の具体的な構成としては、次のようにしてもよい。即ち請求項１１に記載した電線の保護チューブ（コルゲートチューブ３０）は、請求項９に記載の電線の保護チューブにおいて、前記保護チューブは、径の異なる２種類の小リング部（小リング部３４）及び大リング部（大リング部３５）を交互に複数並べて、その外周面が長手方向に凸凹状に形成されて管状を成し、前記曲げ角度規制手段は、前記小リング部が長手方向の軸に対して斜めに交差して設けられる斜め交差小リング部（小リング部３４）としたことを要旨とする。
【００２８】
従って、このように構成される本発明の電線の保護チューブは、小リング部は長手方向の軸に対して斜めに交差しているので、小リング部の交差角度に沿って長手方向の軸に対して斜め方向に曲げることができるようになる。また、この曲げ角度は、長手方向の軸に対する小リング部の交差角度と同じであり、従って、この小リング部の交差角度を適宜設けることにより、ワイヤーハーネス等の電線を所望の角度に曲げることが可能となる。
【００２９】
また、請求項１２に記載した電線の保護チューブ（コルゲートチューブ６０）は、内部が中空で長手方向の両端が開放された管状に形成され、その中空内部に電線を収容する可撓性を有した電線の保護チューブであって、その外周面に該保護チューブ同士を連結する連結手段（鍔部６７）を備えていることを要旨とする。
【００３０】
従って、このように構成される本発明の電線の保護チューブは、その外周面に設けられた連結手段により、場面に応じて保護チューブ同士を連結させることができ、その結果、従来、複数の保護チューブを紐等で束ねていた煩わしい作業を省略できると共に、該電線の引き回しや取り付け作業を容易にすることができるという顕著な効果を奏する。
【００３１】
ここで、連結手段の具体的な構成としては、次のようにするとよい。即ち請求項１３に記載した電線の保護チューブ（コルゲートチューブ６０）は、請求項１２に記載の電線の保護チューブにおいて、前記保護チューブは、径の異なる２種類の断面正六角形の小リング部（小リング部６４）及び大リング部（大リング部６５）を交互に複数並べて、その外周面が長手方向に凸凹状に形成されて管状を成し、前記連結手段は、前記大リング部の縁に額縁状に周設された長手方向両側に張り出す可撓性を有した鍔部（鍔部６７）であって、該鍔部の幅は、隣り合う該鍔部同士の間隔よりも大きく形成されていることを要旨とする。
【００３２】
従って、このように構成される本発明の電線の保護チューブは、小リング部及び大リング部は断面正六角形に形成されているので、１の保護チューブの大リング部一辺の鍔部を、他の保護チューブの大リング部一辺の鍔部同士の間隔に小リング部側に向かって押し込めば、１及び他の保護チューブの鍔部は互いに撓みながら係合して保護チューブ両者は固定される。このような構成により、複数の保護チューブは、蜂の巣状にハニカム構造を成して極めて安定的に連結することができる。
【００３３】
また、請求項１４に記載した電線の保護チューブ（コルゲートチューブ７０）は、請求項１乃至請求項１３に記載の電線の保護チューブの何れか２以上を備え、それら保護チューブの間を曲げ難く形成された連結チューブ（連結チューブ７５）で連結したことを要旨とする。
【００３４】
従って、このように構成される本発明の電線の保護チューブは、異なる形状の保護チューブを複合して形成することにより、それぞれの機能を併せ持つことが可能になる。このように構成することで、設置場所に応じた最適な保護チューブを作成することが可能になる。しかも、連結チューブは曲げ難く形成されているので、場面に応じて所定の間隔を持って曲げることができ、この所定間隔も、連結チューブの長さを適宜設けることにより、容易に変更することができる。
【００３５】
また、請求項１５に記載した電線の保護チューブは、請求項１乃至請求項１４の何れか１項に記載の電線の保護チューブにおいて、前記保護チューブは、内側乃至外側にかけて異なる材質にて複層構造に形成されていることを要旨とする。従って、このように構成される本発明の電線の保護チューブは、内側乃至外側にかけて異なる性能や配色を持たせることができ、更に使い勝手がよくなる。
【００３６】
因みに、上記括弧内の名称及び符号は、後述する実施形態に記載の具体的手段等との対応関係を示す一例であり、請求項１の発明は、実施形態１、２、５、６、７、８に対応し、請求項２、３の発明は、実施形態１に対応し、請求項４、５の発明は、実施形態２に対応し、請求項６の発明は、実施形態５、６に対応し、請求項７の発明は、実施形態５に対応し、請求項８の発明は、実施形態６に対応し、請求項９の発明は、実施形態３、４に対応し、請求項１０の発明は、実施形態３に対応し、請求項１１の発明は、実施形態４に対応し、請求項１２、１３の発明は、実施形態７に対応し、請求項１４の発明は、実施形態８に対応し、請求項１５の発明は、他の実施形態に対応しているが、本発明（請求項１乃至請求項１５）は、上記括弧内の名称及び符号に示された具体的手段等に限定されるものではない。
【図面の簡単な説明】
【００３７】
【図１】実施形態１に係わる断面が略小判形状のコルゲートチューブ１を示す説明図である。
【図２】実施形態２に係わる断面が略正方形（四角形）状のコルゲートチューブ１０を示す説明図である。
【図３】実施形態３に係わる幅狭の小リング部２４及び幅広の大リング部２５が螺旋状に設けられた断面略円形のコルゲートチューブ２０を示す説明図である。
【図４】実施形態４に係わる同じ幅広の、窪み部３７を有した小リング部３４及び大リング部３５が設けられた断面略円形のコルゲートチューブ３０を示す説明図である。
【図５】実施形態５に係わる幅広のリブ４６ａ、４６ｂ、４７ａ、４７ｂを備えた小リング部４４、及び大リング部４５が設けられた断面略円形のコルゲートチューブ４０を示す説明図である。
【図６】実施形態６に係わる幅広のリブ５６ａ、５６ｂ、５７ａ、５７ｂ、５８ａ、５８ｂ、５９ａ、５９ｂを備えた小リング部５４、及び大リング部５５が設けられた断面略円形のコルゲートチューブ５０を示す説明図である。
【図７】実施形態７に係わる蜂の巣状に連結可能な断面正六角形のコルゲートチューブ６０を示す説明図である。
【図８】実施形態８に係わる異なる形状のコルゲートチューブ１０及び７０を複合して形成されたコルゲートチューブ７０を示す説明図である。
【図９】従来の断面円形状のコルゲートチューブ１００を示す説明図である。
【発明を実施するための形態】
【００３８】
以下に、本発明を実施するための形態を図と共に説明する。まず、図９を参照して、電線の保護チューブの一般概要について説明する。電線の保護チューブとして、図９に示すコルゲートチューブ１００は、内部が中空で長手方向の両端が開放された管状に形成され、その内部を端部にコネクタＣＮが接続された複数のワイヤーハーネスＷＨが貫通するように設けられている。
【００３９】
つまり、コルゲートチューブ１００は、ワイヤーハーネスＷＨの全体を覆って外部からの静電ノイズや熱に対する絶縁性を高めたり、外部からの衝撃等により損傷してしまうことを防止する等して該ワイヤーハーネスＷＨを保護するチューブであって、ポリプロピレン等の可撓性を有した合成樹脂にて湾曲可能に形成され、様々な場面で電子的な装置や機械等にて使用されるようになっている。
【００４０】
以上が電線の保護チューブの共通的な特徴であるが、ここで、図９に示したコルゲートチューブ１００は、従来からある断面円形状のものを示しており、この従来のコルゲートチューブ１００は、径の異なる２種類の円形の小リング部１０４、大リング部１０５を交互に複数並べて蛇腹状に形成されており、その外周面は長手方向に凸凹状に形成されている。
【００４１】
このように構成される従来のコルゲートチューブ１００は、断面が円形であるため、外周面が凹状の小リング部１０４箇所から何れの方向にも自在に湾曲できるようになっている。なお、図９では、径の異なる２種類のコルゲートチューブ１００を示したが、一般に、電線の保護チューブの大きさは、その径がおおよそ３〜３０ｍｍの間で、用途に合わせて多種類設けられるようになっている。
【００４２】
＜実施形態１＞
次に、図１〜８を参照しながら、本発明に係る電線の保護チューブについて説明する。まず、図１に示す電線の保護チューブは、断面が略小判形状のコルゲートチューブ１であり、このコルゲートチューブ１は、図１（Ａ）に示すように、一対の対面する鉛直状の側面部２ａ、２ｂと、この側面部２ａ、２ｂを繋ぐ一対の対面する円弧状の上面部３ａ、下面部３ｂを有している。コルゲートチューブ１は、径の異なる２種類の略小判形の小リング部４、大リング部５を交互に複数並べて蛇腹状に形成されており、その外周面は長手方向に凸凹状に形成されている。なお、図１（Ａ）は、断面略小判形のコルゲートチューブ１の部分斜視図である。
【００４３】
このように構成されるコルゲートチューブ１は、断面が略小判形であるため、図１（Ｂ）に示すように、平面ＨＦに対して側面部２ａ又は２ｂを当接させることにより、安定して取り付けることができる。更に、ワイヤーハーネスＷＨを並列（図示では２列）して安定的に収容することが可能になると共に、このワイヤーハーネスＷＨを並列設置する場合には、コルゲートチューブ１の断面積を極力小さくすることができる。その結果、設置場所が限られた狭い領域であっても対処することが可能になる。なお、図１（Ｂ）は、内部にワイヤーハーネスＷＨが並列設置されたコルゲートチューブ１の状態、及び、側面部２ａが平面ＨＦと当接しているコルゲートチューブ１の状態を示す模式的な説明図である。
【００４４】
また、コルゲートチューブ１は、断面が略小判形であるため、図１（Ｃ）に示すように、外周面が凹状の小リング部４箇所から、矢印Ａ又はＢ方向の何れか２方向に１８０度間隔で湾曲できるようになっている。その結果、コルゲートチューブ１は、場面に応じてワイヤーハーネスＷＨの曲げ方向に規制を持たせることができる。なお、図１（Ｃ）は、コルゲートチューブ１の曲げ方向を説明するための略図である。
【００４５】
＜実施形態２＞
次に、図２に示す電線の保護チューブは、断面が略正方形（四角形）状のコルゲートチューブ１０であり、このコルゲートチューブ１０は、図２（Ａ）に示すように、一対の対面する鉛直状の側面部１２ａ、１２ｂと、この側面部１２ａ、１２ｂを繋ぐ一対の対面する水平状の上面部１３ａ、下面部１３ｂを有している。コルゲートチューブ１０は、径の異なる２種類の略正方形の小リング部１４、大リング部１５を交互に複数並べて蛇腹状に形成されており、その外周面は長手方向に凸凹状に形成されている。なお、図２（Ａ）は、断面略正方形のコルゲートチューブ１０の部分斜視図である。
【００４６】
このように構成されるコルゲートチューブ１０は、断面が略正方形であるため、図２（Ｂ）に示すように、平面ＨＦに対して４つの面（側面部１２ａ、１２ｂ、上面部１３ａ又は下面部１３ｂ）のうち、何れの面（図示では下面部１３ｂ）を当接させても、安定して取り付けることができる。更に、ワイヤーハーネスＷＨを段状並列（図示では２段２列）して安定的に収容することが可能になると共に、このワイヤーハーネスＷＨを段状並列設置する場合には、コルゲートチューブ１０の断面積を極力小さくすることができる。その結果、設置場所が限られた狭い領域であっても対処することが可能になる。なお、図２（Ｂ）は、内部にワイヤーハーネスＷＨが段状並列設置されたコルゲートチューブ１０の状態、及び、下面部１３ｂが平面ＨＦと当接しているコルゲートチューブ１０の状態を示す模式的な説明図である。
【００４７】
また、コルゲートチューブ１０は、断面が略正方形であるため、図２（Ｃ）に示すように、外周面が凹状の小リング部１４箇所から、矢印Ａ、Ｂ、Ｃ又はＤ方向の何れか４方向に９０度間隔で湾曲できるようになっている。その結果、コルゲートチューブ１０は、場面に応じてワイヤーハーネスＷＨの曲げ方向に規制を持たせることができる。なお、図２（Ｃ）は、コルゲートチューブ１０の曲げ方向を説明するための略図である。
【００４８】
また、図２では、断面が略正方形のコルゲートチューブ１０を示したが、これは、形状が類似するものとして、断面が略長方形や略正六角形等の正多角形状のコルゲートチューブであってもよい。これらの形状のコルゲートチューブであっても、断面が略正方形のコルゲートチューブ１０と同様な効果を奏することができる。
【００４９】
＜実施形態３＞
次に、図３に示す電線の保護チューブは、断面が略円形状のコルゲートチューブ２０であって、断面形状は上記従来のコルゲートチューブ１００と略同じであるものの、以下の点で構成が相違している。即ち、従来のコルゲートチューブ１００は、小リング部１０４及び大リング部１０５が長手方向の軸に対して直交して設けられているのに対し、本発明のコルゲートチューブ２０は、小リング部２４及び大リング部２５が、図３（Ａ）に示すように、長手方向の軸に対して斜めに交差するように設けられている。
【００５０】
つまり、コルゲートチューブ２０は、長手方向の軸の周囲を一連の小リング部２４及び大リング部２５が螺旋状に巻回するように設けられて、管状を成している。しかも、従来のコルゲートチューブ１００は、小リング部１０４及び大リング部１０５の幅は、ほぼ同じ大きさに形成されているのに対して、コルゲートチューブ２０は、小リング部２４よりも大リング部２５の幅が大きく（略５倍程度大きく）形成されている。
【００５１】
即ち、コルゲートチューブ２０は、一連状であって径の異なる２種類の略円形幅狭の小リング部２４、幅広の大リング部２５を交互に螺旋状に巻回するように形成されており、その外周面は長手方向に凸凹状に形成されている。なお、図３（Ａ）は、幅狭の小リング部２４及び幅広の大リング部２５が螺旋状に設けられた断面略円形のコルゲートチューブ２０の部分斜視図である。
【００５２】
このように構成されるコルゲートチューブ２０は、断面が略円形であるため、外周面が凹状の小リング部２４箇所から何れの方向にも自在に湾曲できるものの、小リング部２４は長手方向の軸に対して斜めに交差しているので、これにより、コルゲートチューブ２０は、図３（Ｂ）に示すように、小リング部２４の角度に沿って長手方向の軸に対して斜め方向に湾曲することになる。その結果、コルゲートチューブ２０は、場面に応じてワイヤーハーネスＷＨの曲げ角度に規制を持たせることができる。
【００５３】
また、この曲げ角度は、長手方向の軸に対する小リング部２４の交差角度と同じであり、従って、この小リング部２４の交差角度を適宜設けることにより、コルゲートチューブ２０は、ワイヤーハーネスＷＨを所望の角度に湾曲することが可能となる。更に、大リング部２５の幅が大きく設けられているので、場面に応じて所定の間隔を持って湾曲することができ、この所定間隔も、大リング部２５の幅を適宜設けることにより、変更することができる。加えて、小リング部２４及び大リング部２５が螺旋状に設けられているので、ほぼ同じ大きさの丸孔等にねじ込むようにして装着することも可能になる。なお、図３（Ｂ）は、コルゲートチューブ２０の曲げ角度を説明するための略図である。
【００５４】
＜実施形態４＞
次に、図４に示す電線の保護チューブは、断面が略円形状のコルゲートチューブ３０であって、断面形状は上記従来のコルゲートチューブ１００と略同じであるものの、以下の点で構成が相違している。即ち、従来のコルゲートチューブ１００は、小リング部１０４及び大リング部１０５が長手方向の軸に対して直交して設けられているのに対し、本発明のコルゲートチューブ３０は、上記実施形態３のコルゲートチューブ２０と同様、小リング部３４及び大リング部３５が、図４（Ａ）に示すように、長手方向の軸に対して斜めに交差するように設けられている。
【００５５】
つまり、コルゲートチューブ３０が上記実施形態３のコルゲートチューブ２０と異なる点は、コルゲートチューブ２０は、長手方向の軸の周囲を一連の小リング部２４及び大リング部２５が螺旋状に巻回するように設けられて管状を成しているのに対し、コルゲートチューブ３０は、小リング部３４、大リング部３５を交互に複数並べて蛇腹状に形成されている点である。
【００５６】
即ち、コルゲートチューブ３０は、従来のコルゲートチューブ１００は、小リング部１０４及び大リング部１０５の幅は、ほぼ同じ大きさに形成されているのに対して、小リング部３４よりも大リング部３５の幅が大きく（略３倍程度大きく）形成され、その外周面は長手方向に凸凹状に形成されている。なお、図４（Ａ）は、幅狭の小リング部３４及び幅広の大リング部３５が蛇腹状に設けられた断面略円形のコルゲートチューブ３０の部分斜視図である。
【００５７】
このように構成されるコルゲートチューブ３０は、断面が略円形であるため、外周面が凹状の小リング部３４箇所から何れの方向にも自在に湾曲できるものの、小リング部３４は長手方向の軸に対して斜めに交差しているので、これにより、コルゲートチューブ３０は、図４（Ｂ）に示すように、小リング部３４の角度に沿って長手方向の軸に対して斜め方向に湾曲することになる。その結果、コルゲートチューブ３０は、場面に応じてワイヤーハーネスＷＨの曲げ角度に規制を持たせることができる。
【００５８】
また、この曲げ角度は、長手方向の軸に対する小リング部３４の交差角度と同じであり、従って、この小リング部３４の交差角度を適宜設けることにより、コルゲートチューブ３０は、ワイヤーハーネスＷＨを所望の角度に湾曲することが可能となる。更に、大リング部３５の幅が大きく設けられているので、場面に応じて所定の間隔を持って湾曲することができ、この所定間隔も、大リング部３５の幅を適宜設けることにより、変更することができる。なお、図４（Ｂ）は、コルゲートチューブ３０の曲げ角度を説明するための略図である。
【００５９】
＜実施形態５＞
次に、図５に示す電線の保護チューブは、断面が略円形状のコルゲートチューブ４０であって、断面形状は上記従来のコルゲートチューブ１００と略同じであるものの、以下の点で構成が相違している。即ち、従来のコルゲートチューブ１００は、小リング部１０４及び大リング部１０５の幅がほぼ同じ大きさの幅狭に形成されているのに対して、本発明のコルゲートチューブ４０は、図５（Ａ）に示すように、大リング部４５よりも小リング部４４の幅が大きく（略３倍程度大きく）形成されている。
【００６０】
即ち、コルゲートチューブ４０は、径の異なる２種類の略円形の幅広の小リング部４４、幅狭の大リング部４５を交互に複数並べて蛇腹状に形成されており、その外周面は長手方向に凸凹状に形成されている。ここで、小リング部４４は、図５（Ａ）に示すように、２種類の小リング部４４ａ、４４ｂを有しており、小リング部４４ａは、上下周壁に一対の長手方向に延びる矩形棒状の上リブ４６ａ、下リブ４６ｂを備え、小リング部４４ｂは、左右周壁に一対の長手方向に延びる矩形棒状の左リブ４７ａ、右リブ４７ｂを備えている。
【００６１】
そして、小リング部４４ａ、４４ｂは、大リング部４５を挟んで交互に配置されて管状を成し、上リブ４６ａ、下リブ４６ｂ、左リブ４７ａ及び右リブ４７ｂは、隣接する大リング部４５同士を連結するように設けられている。なお、図５（Ａ）は、幅広のリブ４６ａ、４６ｂ、４７ａ、４７ｂを備えた小リング部４４、及び大リング部４５が設けられた断面略円形のコルゲートチューブ４０の部分斜視図である。
【００６２】
このように構成されるコルゲートチューブ４０は、断面が略円形であるものの、外周面が凹状の小リング部４４ａ、４４ｂにリブ４６ａ、４６ｂ、４７ａ、４７ｂが形成されているので、小リング部４４ａ、４４ｂ箇所から方向を問わず自在に湾曲することはできず、図５（Ｂ）に示すように、矢印Ａ、Ｂ、Ｃ又はＤ方向の何れか４方向に９０度間隔で湾曲するようになっている。なお、図５（Ｂ）は、コルゲートチューブ４０の曲げ方向を説明するための略図である。
【００６３】
即ち、コルゲートチューブ４０は、小リング部４４ａ箇所からは、上リブ４６ａ及び下リブ４６ｂが矢印Ａ及びＣ方向への湾曲を阻害し、小リング部４４ｂ箇所からは、左リブ４７ａ及び右リブ４７ｂが矢印Ｄ及びＢ方向への湾曲を阻害するようになっている。これにより、小リング部４４ａ箇所からは、矢印Ｂ又はＤ方向の２方向に１８０度間隔で湾曲可能になり、小リング部４４ｂ箇所からは、矢印Ａ又はＣ方向の２方向に１８０度間隔で湾曲可能になり、従って、全体として９０度間隔で湾曲できるようになっている。その結果、コルゲートチューブ４０は、場面に応じてワイヤーハーネスＷＨの曲げ方向に規制を持たせることができる。
【００６４】
また、この曲げ方向は、一対の１８０度間隔で対向する上リブ４６ａ、下リブ４６ｂ又は左リブ４７ａ、右リブ４７ｂの取付位置によって決定され、従って、この上リブ４６ａ、下リブ４６ｂ又は左リブ４７ａ、右リブ４７ｂの取付位置を適宜設けることにより、コルゲートチューブ４０は、ワイヤーハーネスＷＨを所望の方向に湾曲することが可能となる。因みに、小リング部４４に取り付けるリブの取付間隔が狭くなると、コルゲートチューブ４０は湾曲し難くなるので、このリブの取付間隔は、上記の上リブ４６ａ、下リブ４７ｂ及び左リブ４７ａ、右リブ４７ｂのように略１８０度が好ましい。
【００６５】
更に、小リング部４４ａ、４４ｂは、大リング部４５を挟んで交互に配置され、しかも小リング部４４の幅が大きく設けられているので、場面に応じて所定の間隔を持って特定の方向に湾曲することができ、この所定間隔も、小リング部４４ａ、４４ｂの幅や配列を適宜設けることにより、変更することができる。
【００６６】
＜実施形態６＞
次に、図６に示す電線の保護チューブは、断面が略円形状のコルゲートチューブ５０であって、上記した実施形態５のコルゲートチューブ４０の変形例である。従って、ここでの説明では、主にコルゲートチューブ４０と相違する構成について説明する。
【００６７】
コルゲートチューブ５０は、図６（Ａ）に示すように、小リング部５４が４種類の小リング部５４ａ、５４ｂ、５４ｃ、５４ｄを有しており、小リング部５４ａは、上下周壁に一対の長手方向に延びる矩形棒状の上リブ５６ａ、下リブ５６ｂを備え、小リング部５４ｂは、左右周壁に同様な一対の左リブ５７ａ、右リブ５７ｂを備え、小リング部５４ｃは、上右及び下左の周壁に同様な一対の上右リブ５８ａ、下左リブ５８ｂを備え、小リング部５４ｄは、上左及び下右の周壁に同様な一対の上左リブ５９ａ、下右リブ５９ｂを備えている。
【００６８】
そして、コルゲートチューブ５０は、図６（Ａ）における左から小リング部５４ａ、５４ｂ、５４ｃ、５４ｄの順に、各小リング部５４ａ、５４ｂ、５４ｃ、５４ｄ間に大リング部５５を挟んで繰り返し整列しながら管状を成し、上リブ５６ａ、下リブ５６ｂ、左リブ５７ａ、右リブ５７ｂ、上右リブ５８ａ、下左リブ５８ｂ、上左リブ５９ａ及び下右リブ５９ｂは、隣接する大リング部５５同士を連結するように設けられている。なお、図６（Ａ）は、幅広のリブ５６ａ、５６ｂ、５７ａ、５７ｂ、５８ａ、５８ｂ、５９ａ、５９ｂを備えた小リング部５４、及び大リング部５５が設けられた断面略円形のコルゲートチューブ５０の部分斜視図である。
【００６９】
このように構成されるコルゲートチューブ５０は、小リング部５４ａ、５４ｂ、５４ｃ、５４ｄ箇所から方向を問わず自在に湾曲することはできず、図６（Ｂ）に示すように、矢印Ａ、Ｂ、Ｃ、Ｄ、Ｅ、Ｆ、Ｇ又はＨ方向の何れか８方向に４５度間隔で湾曲するようになっている。なお、図６（Ｂ）は、コルゲートチューブ５０の曲げ方向を説明するための略図である。
【００７０】
即ち、コルゲートチューブ５０は、小リング部５４ａ箇所からは、上リブ５６ａ及び下リブ５６ｂが矢印Ａ及びＥ方向への湾曲を阻害し、小リング部５４ｂ箇所からは、左リブ５７ａ及び右リブ５７ｂが矢印Ｇ及びＣ方向への湾曲を阻害し、小リング部５４ｃ箇所からは、上右リブ５８ａ及び下左リブ５８ｂが矢印Ｂ及びＦ方向への湾曲を阻害し、小リング部５４ｄ箇所からは、上左リブ５９ａ及び下右リブ５９ｂが矢印Ｈ及びＤ方向への湾曲を阻害するようになっている。これにより、小リング部５４ａ箇所からは、矢印Ｃ又はＧ方向の２方向に１８０度間隔で湾曲可能になり、小リング部５４ｂ箇所からは、矢印Ａ又はＥ方向の２方向に１８０度間隔で湾曲可能になり、小リング部５４ｃ箇所からは、矢印Ｄ又はＨ方向の２方向に１８０度間隔で湾曲可能になり、小リング部５４ｄ箇所からは、矢印Ｂ又はＦ方向の２方向に１８０度間隔で湾曲可能になり、従って、全体として４５度間隔で湾曲できるようになっている。その結果、コルゲートチューブ５０は、場面に応じてワイヤーハーネスＷＨの曲げ方向に規制を持たせることができる。
【００７１】
＜実施形態７＞
次に、図７に示す電線の保護チューブは、断面が正六角形のコルゲートチューブ６０であって、上記した実施形態２の断面が略正方形（四角形）状のコルゲートチューブ１０の変形例である。従って、ここでの説明では、主にコルゲートチューブ１０と相違する構成について説明する。
【００７２】
コルゲートチューブ６０は、図７（Ａ）に示すように、径の異なる２種類の正六角形の小リング部６４、大リング部６５を交互に複数並べて蛇腹状に形成されており、その外周面は長手方向に凸凹状に形成されている。そして、大リング部６５は、小リング部６４の周面６３と直交して該周面６３から外方向に放射状に延在する断面正六角形の基面部６６と、この基面部６６の縁に額縁状に周設された鍔部６７とを備えている。なお、図７（Ａ）は、断面正六角形のコルゲートチューブ６０の部分斜視図である。
【００７３】
即ち、図７（Ｂ）に示すように、大リング部６５は、基面部６６及び鍔部６７でＴ字状に形成され、コルゲートチューブ６０は、隣り合う大リング部６５の基面部６６及び鍔部６７と小リング部６４の周面６３とにより嵌合凹部６８を形成している。従って、このように構成されるコルゲートチューブ６０は、１のコルゲートチューブ６０の大リング部６５の基面部６６及び鍔部６７を、他のコルゲートチューブ６０の嵌合凹部６８に嵌合することにより、図７（Ｃ）に示すように、蜂の巣状に複数のコルゲートチューブ６０を極めて安定的に連結することができる。その結果、従来、複数のコルゲートチューブを紐等で束ねていた煩わしい作業を省略することができる。
【００７４】
ここで、図７（Ｂ）に示すように、隣り合う鍔部６７の間隔は、鍔部６７の幅より小さく形成されており、従って、上記のようにコルゲートチューブ６０同士を結合する場合には、鍔部６７を嵌合凹部６８に向かって押し込むようにすればよい。このようにすれば、３つの鍔部６７は撓みながら係合し、１のコルゲートチューブ６０の鍔部６７は他のコルゲートチューブ６０の嵌合凹部６８に嵌合される。なお、図７（Ｂ）は、１のコルゲートチューブ６０の大リング部６５の基面部６６及び鍔部６７を、他のコルゲートチューブ６０の嵌合凹部６８に嵌合した状態を示す模式的な説明図であり、図７（Ｃ）は、複数（図示では３つ）のコルゲートチューブ６０が蜂の巣状に結合した状態を説明するための略図である。
【００７５】
＜実施形態８＞
次に、図８に示す電線の保護チューブは、断面が略円形状の上記従来のコルゲートチューブ１００と、断面が略正方形（四角形）状の上記実施形態２のコルゲートチューブ１０とを、硬質の合成樹脂等にて湾曲し難く形成された連結チューブ７５にて連結したコルゲートチューブ７０である。つまり、本実施形態のコルゲートチューブ７０は、異なる形状のコルゲートチューブ１０及び７０を複合して形成されている。
【００７６】
このように構成されるコルゲートチューブ７０は、上述したように、断面円形状のコルゲートチューブ１００箇所からは何れの方向にも自在に湾曲でき、断面略正方形のコルゲートチューブ１０箇所からは、図２（Ｃ）に示したように、矢印Ａ、Ｂ、Ｃ又はＤ方向の何れか４方向に９０度間隔で湾曲でき、連結チューブ７５箇所からは湾曲できないようになる。しかも、コルゲートチューブ１０箇所は、図２（Ｂ）に示したように、平面ＨＦに対して安定して取り付けることが可能になる。なお、図８は、コルゲートチューブ１０及び７０を連結チューブ７５にて連結して形成したコルゲートチューブ７０の部分斜視図である。
【００７７】
即ち、本実施形態のコルゲートチューブ７０は、異なる形状のコルゲートチューブを複合して形成することにより、それぞれの機能を併せ持つことが可能になる。しかも、連結チューブ７５は湾曲し難く形成されているので、場面に応じて所定の間隔を持って湾曲することができ、この所定間隔も、連結チューブ７５の長さを適宜設けることにより、変更することができる。
【００７８】
なお、本実施形態では、コルゲートチューブ１００とコルゲートチューブ１０とを複合するようにしたが、これは限定することなく、種々の組み合わせが可能である。例えば、上記した従来のコルゲートチューブ１００及び実施形態１〜７のコルゲートチューブ１、１０、２０、３０、４０、５０、６０の中から、２〜８種類を選択して適宜配置することにより所望のコルゲートチューブを構成すればよい。このように構成することで、設置場所に応じた最適なコルゲートチューブを作成することが可能になる。また、この場合、連結チューブ７５は有っても無くてもよく、設置場所に応じて適宜設けるようにすればよい。
【００７９】
以上の説明から明らかなように、本実施形態に係わる電線の保護チューブは、ワイヤーハーネスＷＨの曲げ方向や曲げ角度に規制を持たせたいときや、限られた領域内でワイヤーハーネスＷＨを設置したいとき等、設置場所に応じて最適なコルゲートチューブ１、１０、２０、３０、４０、５０、６０、７０を選択的に使用することができ、その結果、特定の場面で有効に機能し、ワイヤーハーネスＷＨの引き回しや取り付け作業を容易にすることができるという顕著な効果を奏する。
【００８０】
＜他の実施形態＞
以上、本発明の実施形態に係わる電線の保護チューブ（コルゲートチューブ１、１０、２０、３０、４０、５０、６０、７０）を図面に基づいて説明してきたが、具体的な構成は実施形態に示したものに限定されるものではなく、本発明の要旨を逸脱しない範囲における変更や追加などがあっても本発明に含まれる。
【００８１】
例えば、保護チューブ（コルゲートチューブ１、１０、２０、３０、４０、５０、６０、７０）は、内外に異なる性能や配色を持たせるために二層構造（複層構造）で形成するようにしてもよい。内外に異なる性能を持たせる場合には、例えば、外を絶縁部材で形成し、内を導通部材で形成してもよい。このような構成にすると、外からの電気的ノイズを遮断できると共に、内に侵入した電気的ノイズをアース等することにより外に放出することが可能になる。また、埃等を付きにくくするため、外のみを導通部材で形成するようにしてもよい。勿論、三層以上の複層構造で形成するようにしてもよい。或いは、外を硬い材質で、内を柔らかい材質で形成するようにしてもよい。
【００８２】
また、保護チューブ（コルゲートチューブ１、１０、２０、３０、４０、５０、６０、７０）は、無色透明でもよいし、所定の色にて形成するようにしてもよい。例えば、内部の電線（ワイヤーハーネスＷＨ）の色を外部に知らしめたい場合には、電線と同色に形成してもよく、勿論、無色透明に形成してもよい。或いは、色毎に機能を定義付けするようにしてもよい（例えば、赤は絶縁部材、青は導通部財等）。
【００８３】
更に、保護チューブ（コルゲートチューブ１、１０、２０、３０、４０、５０、６０、７０）は、樹脂材に難燃化物質を配合して難燃化した組成物にて形成するようにしてもよい。具体的には、例えば熱可塑性のオレフィン系樹脂（ポリプロピレン等のプロピレン系樹脂、ポリエチレン等のエチレン系樹脂）、ポリアミド樹脂、エラストマー、又はこれらの混合材に、ノンハロゲン系難燃剤の難燃化物質としてイントメッセント（intumescent）系物質（例えば、リン酸塩）を所定割合配合（例えば、ポリプロピレン樹脂１００重量部に対してリン酸塩１５〜６０重量部を添加）した組成物から成形すればよい。
【００８４】
このように構成すれば、ノンハロゲン系難燃剤を用いながらも優れた難燃性及び耐久性（耐油性）を有することができ、その結果、環境に優しく、火災時や廃棄するときの焼却時に有害なハロゲン系ガスが大気中に放出されることを防止することが可能となる。
【符号の説明】
【００８５】
１、１０、２０、３０、４０、５０、６０、７０、１００…コルゲートチューブ、
２ａ、２ｂ…側面部、  ３ａ、１３ａ…上面部、  ３ｂ、１３ｂ…下面部、
４、１４、２４、３４、４４、４４ａ、４４ｂ、５４、５４ａ、５４ｂ、５４ｃ、５４ｄ、６４、１０４…小リング部、
５、１５、２５、３５、４５、５５、６５、１０５…大リング部、
４６ａ、５６ａ…上リブ、  ４６ｂ、５６ｂ…下リブ、
４７ａ、５７ａ…左リブ、  ４７ｂ、５７ｂ…右リブ、
５８ａ…上右リブ、  ５８ｂ…下左リブ、
５９ａ…上左リブ、  ５９ｂ…下右リブ、
６３…周面、  ６６…基面部、
６７…鍔部、  ６８…嵌合凹部、
７５…連結チューブ、  ＣＮ…コネクタ、
ＨＦ…平面、  ＷＨ…ワイヤーハーネス。
【図１】
2014147273.tif 000003
【図２】
2014147273.tif 000004
【図３】
2014147273.tif 000005
【図４】
2014147273.tif 000006
【図５】
2014147273.tif 000007
【図６】
2014147273.tif 000008
【図７】
2014147273.tif 000009
【図８】
2014147273.tif 000010
【図９】
2014147273.tif 000011